(57)【要約】【課題】リソースの利用効率の低下を抑制するとともに、多数のチャネルが保留されるような状況に陥っても、輻輳の発生を抑制する。【解決手段】移動局１００が緊急通話先４００と通話したのち、基地局２００と交換局３００との間で通話に用いた通話チャネルを保留し、その後、この保留チャネル以外に空いている通話チャネルが無い場合に、他の移動局５００から新たな発信が行われると、上記保留チャネルを移動局５００に割り当てて通話先６００と接続する。その後、呼び返し発信が緊急通話先４００から生じた場合には、移動局５００にハンドオーバを行うように指示し、これによって空いた通話チャネルを呼び返し発信に基づく通信に用いるようにしたものである。【選択図】図１
2009044678.tif 000002
【特許請求の範囲】
【請求項１】
移動局と無線通信する基地局と、公衆網上に設けられた交換局とが通信して、前記移動局を通話先に接続する移動通信システムにおいて、
第１の移動局が予め設定された通話先との通信が終了した場合に、この通信で用いた前記基地局と前記交換局との間の通話チャネルを保留する保留手段と、
前記通話先から前記第１の移動局を呼び返す発信があった場合に、前記保留手段が保留した通話チャネルを前記通話先と前記第１の移動局との間の通信に割り当てる第１通信制御手段と、
第２の移動局から発信要求を前記基地局が受け付けた際に、前記基地局と前記交換局との間で前記保留手段が保留した通話チャネル以外に空いている通話チャネルが無い場合に、前記保留手段が保留した通話チャネルを前記第２の移動局に割り当てて通信を行う第２通信制御手段とを具備することを特徴とする移動通信システム。
【請求項２】
さらに、前記第２通信制御手段が前記第２の移動局に前記保留手段が保留した通話チャネルを割り当てた後に、前記通話先から前記第１の移動局を呼び返す発信があった場合に、前記第２の移動局に対して前記基地局から他の基地局にハンドオーバするように指示するハンドオーバ要求手段を備えることを特徴とする請求項１に記載の移動通信システム。
【請求項３】
さらに、前記ハンドオーバ要求手段が指示を行った後に、前記第２の移動局がハンドオーバを行わない場合に、前記第２の移動局に割り当てた通話チャネルを前記通話先と前記第１の移動局との間の通信に用いる第３通信制御手段を備えることを特徴とする請求項２に記載の移動通信システム。
【請求項４】
さらに、前記ハンドオーバ要求手段が指示を行った後に、前記第２の移動局がハンドオーバを行わない場合に、前記基地局と前記第２の移動局との間の無線通信リンクを切断するとともに、前記第２の移動局に対して、切断の理由を通知する第４通信制御手段を備えることを特徴とする請求項２に記載の移動通信システム。
【請求項５】
さらに、前記第２通信制御手段が前記第２の移動局に前記保留手段が保留した通話チャネルを割り当てた後に前記交換局を通じて着信があり、前記基地局と前記交換局との間に空いている通話チャネルが無い場合には、前記基地局が前記交換局に対して着信を拒否する第５通信制御手段を備えることを特徴とする請求項１に記載の移動通信システム。
【請求項６】
移動局と無線通信し、この移動局を公衆網上の交換局を通じて通話先に接続する基地局装置において、
第１の移動局が予め設定された通話先との通信が終了した場合に、この通信で用いた前記交換局との間の通話チャネルを保留する保留手段と、
前記通話先から前記第１の移動局を呼び返す発信があった場合に、前記保留手段が保留した通話チャネルを前記通話先と前記第１の移動局との間の通信に割り当てる第１通信制御手段と、
第２の移動局から発信要求を受け付けた際に、前記交換局との間で前記保留手段が保留した通話チャネル以外に空いている通話チャネルが無い場合に、前記保留手段が保留した通話チャネルを前記第２の移動局に割り当てて通信を行う第２通信制御手段とを具備することを特徴とする基地局装置。
【請求項７】
さらに、前記第２通信制御手段が前記第２の移動局に前記保留手段が保留した通話チャネルを割り当てた後に、前記通話先から前記第１の移動局を呼び返す発信があった場合に、前記第２の移動局に対して他の基地局装置にハンドオーバするように指示するハンドオーバ要求手段を備えることを特徴とする請求項６に記載の基地局装置。
【請求項８】
さらに、前記ハンドオーバ要求手段が指示を行った後に、前記第２の移動局がハンドオーバを行わない場合に、前記第２の移動局に割り当てた通話チャネルを前記通話先と前記第１の移動局との間の通信に用いる第３通信制御手段を備えることを特徴とする請求項７に記載の基地局装置。
【請求項９】
さらに、前記ハンドオーバ要求手段が指示を行った後に、前記第２の移動局がハンドオーバを行わない場合に、前記第２の移動局との間の無線通信リンクを切断するとともに、前記第２の移動局に対して、切断の理由を通知する第４通信制御手段を備えることを特徴とする請求項７に記載の基地局装置。
【請求項１０】
さらに、前記第２通信制御手段が前記第２の移動局に前記保留手段が保留した通話チャネルを割り当てた後に前記交換局を通じて着信があり、前記交換局との間に空いている通話チャネルが無い場合には、前記交換局に対して着信を拒否する第５通信制御手段を備えることを特徴とする請求項６に記載の基地局装置。
【発明の詳細な説明】
【技術分野】
【０００１】
この発明は、無線通信により基地局に接続される移動無線端末装置をネットワークに接続する移動通信システムに関する。
【背景技術】
【０００２】
周知のように、従来の通信システムは、加入者端末が警察などの緊急通話先と通話を行った場合、加入者端末が終話しても、利用した公衆網上の交換局と緊急通話先との間で用いたチャネルを保留して、そのチャネルを他の呼が利用できないようにしている。これにより、何らかの必要が生じた場合に、保留しているチャネルを利用することで、緊急通話先から上記加入者端末への接続がスムーズに行えるようにしている（例えば、特許文献１参照）。
【０００３】
しかしながら、緊急通話先は、保留されたチャネルを必ずしも利用されるわけではなく、リソースの利用効率を低下させる一因となっている。また例えば災害の発生時など、複数の緊急通話先への通話が多発した場合、多数のチャネルが保留されることになり、交換局などで輻輳を誘発させる虞があるという問題があった。
【特許文献１】特開２００１−３２０７４９公報
【発明の開示】
【発明が解決しようとする課題】
【０００４】
緊急通話先は、保留されたチャネルを必ずしも利用されるわけではなく、リソースの利用効率を低下させる一因となっている。また例えば災害の発生時など、複数の緊急通話先への通話が多発した場合、多数のチャネルが保留されることになり、交換局などで輻輳を誘発させる虞があるという問題があった。
【０００５】
この発明は上記の問題を解決すべくなされたもので、リソースの利用効率の低下を抑制するとともに、多数のチャネルが保留されるような状況に陥っても、輻輳の発生を抑制することが可能な移動通信システムおよび基地局装置を提供することを目的とする。
【課題を解決するための手段】
【０００６】
上記の目的を達成するために、この発明は、移動局と無線通信する基地局と、公衆網上に設けられた交換局とが通信して、移動局を通話先に接続する移動通信システムにおいて、第１の移動局が予め設定された通話先との通信が終了した場合に、この通信で用いた基地局と交換局との間の通話チャネルを保留する保留手段と、通話先から第１の移動局を呼び返す発信があった場合に、保留手段が保留した通話チャネルを通話先と第１の移動局との間の通信に割り当てる第１通信制御手段と、第２の移動局から発信要求を基地局が受け付けた際に、基地局と交換局との間で保留手段が保留した通話チャネル以外に空いている通話チャネルが無い場合に、保留手段が保留した通話チャネルを第２の移動局に割り当てて通信を行う第２通信制御手段とを具備して構成するようにした。
【発明の効果】
【０００７】
以上述べたように、この発明では、移動局から発信要求を基地局が受け付けた際に、基地局と交換局との間で保留した通話チャネル以外に空いている通話チャネルが無い場合に、保留した通話チャネルを上記移動局に割り当てて通信を行うようにしている。
【０００８】
したがって、この発明によれば、保留した通話チャネルでも他に空いている通話チャネルが無い場合には、積極的に利用するようにしているので、リソースの利用効率の低下を抑制するとともに、多数のチャネルが保留されるような状況に陥っても、輻輳の発生を抑制することが可能な移動通信システムおよび基地局装置を提供できる。
【発明を実施するための最良の形態】
【０００９】
以下、図面を参照して、この発明の一実施形態について説明する。  
図１は、この発明の一実施形態に係わる移動通信システムの構成を示すものである。この移動通信システムは、いわゆる携帯電話機に相当する移動局１００，５００と、移動通信網および有線通信網に相当する公衆網ＮＷに収容される基地局２００，７００と、回線交換を行う交換局３００と、警察や消防などの加入者端末に相当する緊急通話先４００と、それ以外の加入者端末に相当する通話先６００とを備えている。なお、説明を簡明にするために、移動局や基地局、通話先を各２つずつ示しているが、現実的なシステムでは、それぞれ多数を備えている。
【００１０】
基地局２００，７００の概略的な構成を図２に示す。基地局２００，７００は、それぞれ図２に示すように、制御部２０１と、移動局１００や５００をはじめとする移動局と無線通信する無線通信部２０２と、公衆網ＮＷを通じて交換局３００と通信する局線Ｉ／Ｆ２０３とを備える。
【００１１】
そして、制御部２０１は、当該基地局の各部を統括して制御するものであって、無線通信部２０２が移動局との間で確立した通信リンクと、局線Ｉ／Ｆ２０３が交換局３００との間で確立した通信リンクとを相互に接続して、移動局が公衆網ＮＷを通じた通信が行えるように通信制御を行うものである。また制御部２０１は、無線通信部２０２を通じて各移動局から受信した移動局の識別情報を、自局の識別情報とともに位置登録情報として交換局３００に送信して、移動局の位置登録を行う制御機能を備える。
【００１２】
交換局３００は、制御部３０１と、基地局２００や７００をはじめとする多数の基地局を収容してこれらと通信する基地局Ｉ／Ｆ３０２と、通話先４００や６００をはじめとする多数の通話先を収容してこれらと通信する端末Ｉ／Ｆ３０３と、基地局の識別情報に対応付けて、各基地局の無線ゾーン内に位置する移動局の識別情報を記憶する位置登録データベース３０４とを備える。
【００１３】
そして、制御部３０１は、当該交換局の各部を統括して制御するものであって、基地局Ｉ／Ｆ３０２が基地局との間で確立した通信リンクと、端末Ｉ／Ｆ３０３が通話先との間で確立した通信リンクとを相互に接続して、通話先が公衆網ＮＷを通じた通信が行えるように通信制御を行うものである。また制御部３０１は、各基地局から受信した位置登録情報に基づいて、位置登録データベース３０４に移動局の位置情報を登録する制御機能を備える。
【００１４】
次に、上記構成の移動通信システムの動作について説明する。以下の説明では特に、移動局１００から警察や消防などの緊急通話先４００に発信を行った場合の動作について説明する。この動作に関する処理を図４および図５に示す。図４は、基地局２００の制御部２０１によって為されるものであって、その制御プログラムや制御データは、制御部２０１に組み込まれている。同様に、図５は、交換局３００の制御部３０１によって為されるものであって、その制御プログラムや制御データは、制御部３０１に組み込まれている。
【００１５】
まず図４を参照して、基地局２００の制御動作について説明する。図４に示す処理は、予め設定された「１１０」や「１１９」などの緊急電話番号（緊急通話先４００）宛てに移動局１００が発信して通話を行い、これが終了した場合に実行される。なお、この通話の終了に伴い、基地局２００と交換局３００との間では、緊急通話先４００からの呼び返し発信用に確保するために、制御部２０１と制御部３０１の制御の下、局線Ｉ／Ｆ２０３と基地局Ｉ／Ｆ３０２が上記通話で用いた通話チャネルを保留する。
【００１６】
ステップ４ａにおいて制御部２０１は、保留タイマを起動し、移動局１００と緊急通話先４００との間の通話が終了してからの経過時間の計測を開始し、ステップ４ｂに移行する。
【００１７】
ステップ４ｂにおいて制御部２０１は、ステップ４ａで計測を開始した保留タイマのカウント時間が予め設定した時間（例えば１０分）を経過したか否かを判定する。ここで、保留タイマのカウント時間が予め設定した時間を経過した場合には、ステップ４ｃに移行し、一方、予め設定した時間を経過していない場合には、ステップ４ｄに移行する。  
ステップ４ｃにおいて制御部２０１は、局線Ｉ／Ｆ２０３を制御して、保留している通話チャネルを解放し、当該処理を終了する。
【００１８】
ステップ４ｄにおいて制御部２０１は、無線通信部２０２が受信した信号と、局線Ｉ／Ｆ２０３が受信した信号とをそれぞれ監視して、移動局１００や５００からの発信や、交換局３００を通じた通話先４００や６００からの着信が発生したか否かを判定する。ここで、移動局から発信が発生した場合には、ステップ４ｅに移行し、一方、交換局３００を通じて着信が発生した場合には、ステップ４ｉに移行する。また発信も着信も発生しない場合には、ステップ４ｂに再び移行する。
【００１９】
ステップ４ｅにおいて制御部２０１は、局線Ｉ／Ｆ２０３の通信状態を検出し、局線Ｉ／Ｆ２０３と交換局３００との間の空いている通話チャネルがあるか否かを判定する。ここで、空いている通話チャネルがない場合には、ステップ４ｆに移行し、一方、保留している通話チャネル以外にも空いている通話チャネルがある場合には、ステップ４ｇに移行する。また保留チャネルだけが空いている場合には、ステップ４ｈに移行する。
【００２０】
ステップ４ｆにおいて制御部２０１は、無線通信部２０２を制御して、発信を行った移動局に対して、発信を拒否する旨を示す信号を上記移動局に送信し、ステップ４ｂに移行する。これにより上記移動局は、発信要求が受け入れられず、発信シーケンスが終了することになる。
【００２１】
ステップ４ｇにおいて制御部２０１は、発信シーケンスを開始して、発信を要求した移動局から受信した通話先の電話番号を局線Ｉ／Ｆ２０３を通じて交換局３００に送信し、やがて通話先の応答があると、無線通信部２０２および局線Ｉ／Ｆ２０３を制御して、所定の手順に従って通話先との間に通信リンクを確立し、ステップ４ｂに移行する。なお、ここでは通常の接続処理を実施し、制御部２０１は、局線Ｉ／Ｆ２０３に空いている通話チャネルを確保させ、この通話チャネルを通じて通信を行う。
【００２２】
ステップ４ｈにおいて制御部２０１は、発信シーケンスを開始して、発信を要求した移動局から受信した通話先の電話番号を局線Ｉ／Ｆ２０３を通じて交換局３００に送信し、やがて通話先の応答があると、無線通信部２０２および局線Ｉ／Ｆ２０３を制御して、所定の手順に従って通話先との間に通信リンクを確立し、ステップ４ｂに移行する。なお、ここで制御部２０１は、局線Ｉ／Ｆ２０３を制御して、保留している通話チャネルを通じて通信を行わせる。
【００２３】
一方、ステップ４ｉにおいて制御部２０１は、局線Ｉ／Ｆ２０３が交換局３００から受信した制御信号から、この着信が予め登録された緊急通話先４００からの着信であるか否かを判定する。ここで、緊急通話先４００からの着信である場合には、ステップ４ｍに移行し、一方、それ以外の通話先（例えば通話先６００）からの着信である場合には、ステップ４ｊに移行する。
【００２４】
ステップ４ｊにおいて制御部２０１は、局線Ｉ／Ｆ２０３の通信状態を検出し、局線Ｉ／Ｆ２０３と交換局３００との間の空いている通話チャネルがあるか否かを判定する。ここで、空いている通話チャネルがない場合には、ステップ４ｋに移行し、一方、保留している通話チャネル以外にも空いている通話チャネルがある場合には、ステップ４ｌに移行する。
【００２５】
ステップ４ｋにおいて制御部２０１は、局線Ｉ／Ｆ２０３を制御して、交換局３００に対して、発信を拒否する旨を示す信号を送信し、ステップ４ｂに移行する。これにより交換局３００は、発信元の通話先（例えば通話先６００）に対して、発信を拒否する処理を実行し、上記通話先は発信要求が受け入れられず、発信シーケンスが終了することになる。
【００２６】
ステップ４ｌにおいて制御部２０１は、着信シーケンスを開始して、発信を要求した通話先から受信した通話先（例えば通話先６００）の電話番号を局線Ｉ／Ｆ２０３から取得し、これを無線通信部２０２を通じて着信先となる移動局に送信し、やがてこの移動局の応答があると、無線通信部２０２および局線Ｉ／Ｆ２０３を制御して、所定の手順に従って通話先との間に通信リンクを確立し、ステップ４ｂに移行する。なお、ここでは通常の接続処理を実施し、制御部２０１は、局線Ｉ／Ｆ２０３に空いている通話チャネルを確保させ、この通話チャネルを通じて通信を行う。
【００２７】
ステップ４ｍにおいて制御部２０１は、局線Ｉ／Ｆ２０３を制御して、当該ステップに至る前に、保留していた通話チャネルをステップ４ｈにより通話チャネルとして割り当てて通話に用いてるか否かを判定する。ここで保留していた通話チャネルを通話に用いている場合には、ステップ４ｎに移行し、一方、通話に用いておらず、保留している場合には、ステップ４ｑに移行する。
【００２８】
ステップ４ｎにおいて制御部２０１は、無線通信部２０２を制御して、ステップ４ｈで保留していた通話チャネルが割り当てられた移動局にハンドオーバを行うように指示する制御信号を送信させ、ステップ４ｏに移行する。これにより上記移動局は、上記制御信号を受信すると、当該基地局２００以外に利用可能な基地局にハンドオーバを行う。
【００２９】
ステップ４ｏにおいて制御部２０１は、上記移動局のハンドオーバが成功したか否かを判定する。ここで、上記ハンドオーバが成功した場合には、ステップ４ｑに移行し、一方、ハンドオーバが失敗した場合には、ステップ４ｐに移行する。
【００３０】
ステップ４ｐにおいて制御部２０１は、無線通信部２０２を制御して、上記移動局に対して切断を示す制御信号を送信し、上記移動局との間の通信リンクを切断して、この通信リンクで用いていた局線Ｉ／Ｆ２０３と交換局３００との間の通話チャネルを再び保留チャネルとして確保し、ステップ４ｑに移行する。なお、上記制御信号には、切断の理由として、緊急通話先からの折り返し発信による強制切断である旨を示す情報が含まれる。これにより移動局は、通話が強制的に終了し、これに伴い、上記制御信号に含まれる情報から上述のような切断の理由を示す表示をユーザに示す。
【００３１】
ステップ４ｑにおいて制御部２０１は、着信シーケンスを開始して、発信を要求した緊急通話先４００の電話番号を局線Ｉ／Ｆ２０３から取得し、これを無線通信部２０２を通じて着信先となる移動局１００に送信し、やがてこの移動局１００の応答があると、無線通信部２０２および局線Ｉ／Ｆ２０３を制御して、所定の手順に従って緊急通話先４００との間に通信リンクを確立し、ステップ４ｂに移行する。なお、ここで制御部２０１は、局線Ｉ／Ｆ２０３に、保留チャネルを通じて通信を行う。
【００３２】
次に図５を参照して、交換局３００における呼び返し発信に関する制御動作について説明する。図５に示す処理は、交換局３００の電源が投入されると、制御部３０１によって、電源が切られるまで切り返し実行される。
【００３３】
まずステップ５ａにおいて制御部３０１は、端末Ｉ／Ｆ３０３が受信した信号を監視し、緊急通話先４００から呼び返し発信が発生したか否かを判定する。ここで、呼び返し発信が発生した場合には、ステップ５ｂに移行し、一方、呼び返し発信が発生しない場合には、再びステップ５ａに移行して、呼び返し発信の発生を監視する。
【００３４】
ステップ５ｂにおいて制御部２０１は、ステップ５ａで検出した呼び返し発信により端末Ｉ／Ｆ３０３が受信した信号から着信先となる着番号（移動局１００の電話番号）を検出し、ステップ５ｃに移行する。
【００３５】
ステップ５ｃにおいて制御部２０１は、ステップ５ｂで検出した着番号の移動局が、どの基地局の無線ゾーン内に位置するかを、位置登録データベース３０４が記憶する情報から検出し、ステップ５ｄに移行する。
【００３６】
ステップ５ｄにおいて制御部２０１は、基地局Ｉ／Ｆ３０２を制御して、ステップ５ｃで検出した基地局に対して、呼び返し発信を行って、緊急通話先４００を発信元とする着信が移動局１００に対して発生した旨を示す制御信号を送信し、当該処理を終了する。これにより呼び返し発信が行われた基地局は、無線通信部２０２を制御して、移動局１００に対して、緊急通話先４００の電話番号を送信して着信の発生を通知する。
【００３７】
次に、移動局１００から緊急通話発信が行われて、それが終話し、その後、空いている通話チャネルが保留チャネル以外に無い状態で、他の移動局５００から発信が行われ、さらに緊急通話先４００から呼び返し発信が行われた場合の動作について説明する。図６にそのシーケンスを示す。
【００３８】
移動局１００が緊急通話先４００に宛てた発信要求を行うと（シーケンスＳ６０１）、これを受け付けた基地局２００は、交換局３００に対して緊急通話先４００に宛てた発信要求を行う（シーケンスＳ６０２）。この時、基地局２００では、制御部２０１が上記発信要求に含まれる緊急通話先４００の電話番号から、緊急通話であることを検出する。
【００３９】
この発信要求を受け付けた交換局３００は、その要求に含まれる電話番号から着信先が緊急通話先４００であることを検出し、緊急通話先４００に対して着信信号を送信する（シーケンスＳ６０３）。この着信信号を受信した緊急通話先４００は、呼び出し音を発して着信をオペレータに報知し、オペレータが着信に応答すると、所定の手順にしたがって、移動局１００と緊急通話先４００との間で、基地局２００および交換局３００を介した通信リンクが確立し、通話が可能な状態となる（シーケンスＳ６０４）。
【００４０】
やがて、通話が終了して、移動局１００にてユーザが終話操作を行うと、切断信号が送信され（シーケンスＳ６０５）、これを受信した基地局２００は、交換局３００に対して切断信号を送信する（シーケンスＳ６０６）。これを受信した交換局３００は、緊急通話先４００に対して切断信号を送信し、所定の手順にしたがって、終話処理を実行し、移動局１００と緊急通話先４００との間に確立した通信リンクを解放する（シーケンスＳ６０７）。
【００４１】
このようにして緊急通話先４００との通信リンクが解放されると、上述した図４の処理によって、基地局２００は交換局３００との間で、緊急通話先４００から呼び返し発信が生じたときのために、緊急通話先４００との通信に用いた通話チャネルを保留する（シーケンスＳ６０８）。なお、この例ではこの時点で、シーケンスＳ６０８で保留した通話チャネル（保留チャネル）以外に、空いている通話チャネルがないものとする。
【００４２】
ここで、移動局５００が緊急通話先ではない通話先６００に宛てた発信要求を行うと（シーケンスＳ６０９）、これを受け付けた基地局２００は、保留チャネル以外に空いている通話チャネルが無いことより、図４のステップ４ｈに対応する処理を実行して、保留チャネルの保留を解除し（シーケンスＳ６１０）、さらに交換局３００に対して通話先６００に宛てた発信要求を行う（シーケンスＳ６１１）。
【００４３】
この発信要求を受け付けた交換局３００は、その要求に含まれる電話番号から着信先が通話先６００であることを検出し、通話先６００に対して着信信号を送信する（シーケンスＳ６１２）。この着信信号を受信した通話先６００は、呼び出し音を発して着信をオペレータに報知し、オペレータが着信に応答すると、所定の手順にしたがって、移動局５００と通話先６００との間で、基地局２００および交換局３００を介した通信リンクが確立し、通話が可能な状態となる（シーケンスＳ６１３）。
【００４４】
このようにして移動局５００が保留チャネルを通じて通話を開始した後に、緊急通話先４００において移動局１００に対する呼び返し発信の必要が生じ、これを行う（シーケンスＳ６１４）。これに対して交換局３００では、シーケンスＳ６１５として、図５に示した処理により制御部３０１が呼び返し発信が発生したことを検出し（ステップ５ａ）、移動局１００の電話番号（着番号）を検出して（ステップ５ｂ）、位置登録データベース３０４を参照して移動局１００の位置情報として基地局２００を検出する（ステップ５ｃ）。そして交換局３００は、シーケンスＳ６１６として、基地局２００に対して移動局１００を着信先とする呼び返し発信を行う（ステップ５ｄ）。
【００４５】
これを受けた基地局２００は、緊急通話先４００からの呼び返し発信であることより、図４の処理においてステップ４ｄ、４ｉ、４ｍと移行する。そしてステップ４ｍにおいて、シーケンスＳ６１０およびＳ６１１で保留チャネルを移動局５００に割り当ててしまったので、ステップ４ｎに移行し、移動局５００に対して他の基地局にハンドオーバするように指示する（シーケンスＳ６１７）。
【００４６】
これに対して移動局５００では、基地局２００からの指示にしたがって、予め準備していたハンドオーバの候補の基地局７００にハンドオーバを行い（シーケンスＳ６１８）、これを受け入れた基地局７００は、所定のハンドオーバ処理にしたがって、移動局５００との間に通信リンクを確立するとともに、交換局３００に接続し、これにより通話先６００と基地局７００との間に、基地局２００および交換局３００を介した通信リンクが確立して、通話が継続されることになる（シーケンスＳ６１９）。
【００４７】
一方、基地局２００では、ステップ４ｏにおいて移動局５００のハンドオーバが成功したことを検出し、ステップ４ｑに移行する。なお、ハンドオーバが失敗した場合には、ステップ４ｐに移行して、移動局５００に対して、呼び返し発信に伴って通信リンクを切断する旨を通知し、この通信リンクを強制的に切断する。この場合、移動局５００では、通信リンク切断が、呼び返し発信が理由である旨が表示部に表示された後、通信リンクが切断されることになる。
【００４８】
移動局５００のハンドオーバが成功した場合、基地局２００は、ステップ４ｑとして、移動局１００に対して緊急通話先４００を発信元とする着信信号を移動局１００に送信し（シーケンスＳ６２０）、これに移動局１００が応答すると、基地局２００は、移動局５００に一時的に割り当てていた保留チャネルを移動局１００に割り当てて、所定の手順にしたがって、交換局３００との間に通信リンクを確立する。これにより、移動局１００は、基地局２００および交換局３００と通じて、緊急通話先４００との間に通信リンクが確立し、通話が開始される（シーケンスＳ６２１）。
【００４９】
以上のように、上記構成の移動通信システムでは、基地局２００と交換局３００との間で、保留チャネル以外に空いている通話チャネルが無い場合に、他の移動局５００から新たな発信が行われると、上記保留チャネルを移動局５００に割り当てて通話先６００と接続するようにしている。
【００５０】
したがって、上記構成の移動通信システムによれば、保留チャネルであっても、他に空いている通話チャネルが無い場合には、これを利用することができるので、通話チャネルの保留によってリソースの利用効率の低下を抑制することができ、多数のチャネルが保留されるような状況に陥っても、輻輳の発生を抑制することができる。
【００５１】
また保留チャネルに他の移動局５００を割り当てた場合に、呼び返し発信が発生すると、移動局５００に対してハンドオーバを指示し、これによって再び空いた保留チャネルを呼び返し発信に基づく通話に割り当てるようにしている。このため、本来の呼び返し発信に支障をきたすことがない。
【００５２】
また移動局５００がハンドオーバが行えない場合には、移動局５００との無線通信リンクを基地局２００が強制的に切断し、切断の理由を移動局５００に通知するようにしている。このため、呼び返し発信に基づく通話のための通話チャネルを確実に確保することができ、また切断された移動局５００には、その理由が通知されるので、ユーザに混乱を与えることがない。
【００５３】
そしてまた、保留チャネルのみしか空きチャネルが無い場合に、上述したように他の移動局５００から発信があると保留チャネルを割り当てるが（ステップ４ｅおよび４ｈ）、交換局３００から着信があった場合には、保留チャネルがあっても着信を拒否するようにしている（ステップ４ｊおよび４ｋ）。これは有線回線を通じて接続される通話先６００などをハンドオーバさせることができないことに配慮したものである。
【００５４】
さらにまた、図１に示すように、移動局１００が緊急通話先４００と通話を行った後に、通話チャネルが保留された状態で基地局２００の無線ゾーンから基地局７００の無線ゾーンに移動した場合でも、交換局３００は、シーケンスＳ６１５の位置検出により移動した移動局１００の位置を検出し、呼び返し発信を基地局７００に対して行うことができる。このため、移動局１００が他の基地局７００の無線ゾーンに移動しても、基地局２００の無線ゾーンに居るときと同様に、呼び返し発信を行うことができる。
【００５５】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００５６】
その一例として例えば、上記実施の形態では、ハンドオーバが失敗した場合に、ステップ４ｐにおいて強制的に移動局５００との通信リンクを切断するようにしたが、これに代わり、もしくはこれに加えて、ステップ４ｎの指示から予め設定した時間が経過した場合には、ハンドオーバが成功したか失敗したかが判定できなくても、ステップ４ｑに移行する。
【００５７】
これによれば、ステップ４ｎの指示が移動局５００に到達しなかったり、あるいは何らかの障害などにより移動局５００がハンドオーバを行わないような場合でも、速やかに呼び返し発信のための接続処理を開始することができる。
【００５８】
なお、ステップ４ｎの指示が移動局５００に到達しなかった原因としては、基地局２００と移動局５００との間の電波状況の悪化や、基地局２００の送信系の障害、あるいは移動局５００の受信系の障害などが考えられる。また、移動局５００に基地局２００から指示が届く状況にあったにもかかわらず、移動局５００がハンドオーバを行わなかった原因としては、移動局５００のソフトウェア誤動作や、送信系の異常、ハンドオーバ先の基地局７００へのハンドオーバの失敗などが考えられる。  
その他、この発明の要旨を逸脱しない範囲で種々の変形を施しても同様に実施可能であることはいうまでもない。
【図面の簡単な説明】
【００５９】
【図１】この発明に係わる移動通信システムの一実施形態の構成を示す図。
【図２】図１に示した移動通信システムの基地局の構成を示す回路ブロック図。
【図３】図１に示した移動通信システムの交換局の構成を示す回路ブロック図。
【図４】図２に示した基地局の通話チャネルを保留したのちの動作を説明するためのフローチャート。
【図５】図３に示した交換局の呼び返し発信が生じた場合の動作を説明するためのフローチャート。
【図６】図１に示した移動通信システムの緊急通話発信を説明するためのフローチャート。
【符号の説明】
【００６０】
１００…移動局、２００…基地局、２０１…制御部、２０２…無線通信部、２０３…局線Ｉ／Ｆ、３００…交換局、３０１…制御部、３０２…基地局Ｉ／Ｆ、３０３…端末Ｉ／Ｆ、３０４…位置登録データベース、４００…緊急通話先、５００…移動局、６００…通話先、７００…基地局、ＮＷ…公衆網。
【図１】
2009044678.tif 000003
【図２】
2009044678.tif 000004
【図３】
2009044678.tif 000005
【図４】
2009044678.tif 000006
【図５】
2009044678.tif 000007
【図６】
2009044678.tif 000008